(57)【特許請求の範囲】
【請求項１】
帯状のタオル本体と、前記タオル本体の一方の面に前記タオル本体の厚みよりも厚く膨出して設けられ柔軟性及び弾力性を有する膨出体と、前記タオル本体の長手方向の中心部で前記膨出体を２つに分ける位置に設けられ前記タオル本体の自重で屈曲可能な脆弱曲がり部とを備え、
前記膨出体は、柔軟性及び弾力性を有するスポンジと、前記スポンジを覆うネットとで構成されており、前記タオル本体から急角度で立ち上がる立ち上がり部を備え、
前記膨出体は、前記ネットの上から前記スポンジの外周の端部が前記ネットの外周の端部と重ねて前記タオル本体に縫い付けられていることを特徴とする浴用タオル。
【請求項２】
請求項１記載の浴用タオルであって、
前記膨出体は、前記タオル本体の長手方向の中心部を境にして２つ設けられており、
前記脆弱曲がり部は、前記タオル本体の２つの前記膨出体の間に設けられていることを特徴とする浴用タオル。
【請求項３】
請求項１記載の浴用タオルであって、
前記膨出体は、前記タオル本体の長手方向の中心部に１つ設けられており、
前記脆弱曲がり部は、前記タオル本体の長手方向の中心部の位置で前記膨出体を前記タオル本体に縫い付ける縫い目であることを特徴とする浴用タオル。
【発明の詳細な説明】
【技術分野】
【０００１】
本発明は、入浴などで体を洗う際に使用する浴用タオルに関するものである。
【背景技術】
【０００２】
従来から入浴などで体を洗う際に浴用タオルが用いられている。一般的な帯状の浴用タオルは、柔軟な布製のものや、ポリエステル等からなる粗い目の合成繊維製のものなどがある。一人で背中を洗うときは、浴用タオルの一端部を一方の手で掴み、他端部を他方の手で掴み、背中側にまわした浴用タオルを上下左右等に移動させて背中を擦るようにして洗う。
【０００３】
人の背中は、背骨に沿った部分（以下、背中凹み部という）が、その両側の僧帽筋、広背筋及び脊柱起立筋等の背筋周辺の盛り上がり部分（以下、盛り上が側部という）よりも凹んでいるため、浴用タオルが背中凹み部にしっかり接触せず、背中凹み部が洗い難い場合がある。この対策として、特許文献１に示す浴用タオルが知られている。
【０００４】
特許文献１の浴用タオルは、２枚の帯状のタオル本体の間であって長手方向の中央部にスポンジ等を挟め、浴用タオルの長手方向の中央部を他の部分よりも厚くしたものである。この浴用タオルを使用して背中を洗う際は、スポンジ部分を背中凹み部に接触させることで背中凹み部が洗われる。
【０００５】
しかし、特許文献１の浴用タオルはスポンジを２枚のタオル本体の間に挟める構成のため、背中を洗う際に浴用タオルの一端部を一方の手で掴み、他端部を他方の手で掴んで両側から引っ張ると、スポンジの外側のタオル本体にテンション（張力）がかかることでスポンジが背中側に押し付けられるものの、スポンジの内側（背中に接触する側）のタオル本体にもテンションがかかることでスポンジが背中から離れる方向へも力が働く。
【０００６】
このため、厚みのあるスポンジ部分が十分に強く背中凹み部に押し付けられない状態となる。また反対に、浴用タオルの厚みのない部分で背中をやさしく洗いたい場合であっても、タオル本体の表裏両側にスポンジの厚みがあるため、どうしても厚みのあるスポンジ部分が接触してやさしく洗うことが難しい。
【先行技術文献】
【特許文献】
【０００７】
【特許文献１】特開平７−２３６５９１号公報
【発明の概要】
【発明が解決しようとする課題】
【０００８】
本発明は、背中を洗う際に浴用タオルを十分に強く背中凹み部に押し付けることができるとともに、やさしく洗うこともできる浴用タオルを提供することを課題とする。
【課題を解決するための手段】
【０００９】
本発明の実施例によれば、帯状のタオル本体と、前記タオル本体の一方の面に前記タオル本体の厚みよりも厚く膨出して設けられ柔軟性及び弾力性を有する膨出体と、前記タオル本体の長手方向の中心部で前記膨出体を２つに分ける位置に設けられ前記タオル本体の自重で屈曲可能な脆弱曲がり部とを備えていることを特徴とする。
【００１０】
かかる構成によれば、柔軟性及び弾力性を有する膨出体が、タオル本体の一方の面にタオル本体の厚みよりも厚く膨出して設けられている。このため、膨出体を背中に接触するように向けて、背中を洗う際に浴用タオルの一端部を一方の手で掴み、他端部を他方の手で掴んで両側から引っ張ると、膨出体の外側のタオル本体にのみテンション（張力）がかかることで膨出体を背中凹み部に十分に強く押し付けることができる。さらに、タオル本体を裏返して、膨出体を外方に向けることで、膨出体を背中に接触させずにやさしく洗うこともできる。
【００１１】
さらに、タオル本体の長手方向の中心部で膨出体を２つに分ける位置に設けられタオル本体の自重で屈曲可能な脆弱曲がり部を備えているので、２つに分けられた膨出体がより柔軟に背中凹み部にフィットして、しっかりと背中凹み部を洗うことができる。さらに、使用後に浴用タオルを物干し棒にかけて乾かす際、浴用タオルを脆弱曲がり部で曲げて物干し棒に掛けることで、膨出部をバランスよく分けて浴用タオルを物干し棒から落ち難くして乾かし易くすることができる。
【００１２】
好ましくは、前記膨出体は、前記タオル本体の長手方向の中心部を境にして２つ設けられており、
前記脆弱曲がり部は、前記タオル本体の２つの前記膨出体の間に設けられている。
【００１３】
かかる構成によれば、タオル本体の長手方向の中心部を境にして２つ設けられているので、２つの膨出部を背中凹み部に押し付け、効率よく背中凹み部を洗うことができる。さらに、脆弱曲がり部の両側に独立した膨出部がそれぞれ設けられているので、物干し棒に容易に掛けることができ、乾かし易くすることができる。
【００１４】
好ましくは、前記膨出体は、前記タオル本体の長手方向の中心部に１つ設けられており、
前記脆弱曲がり部は、前記タオル本体の長手方向の中心部の位置で前記膨出体を前記タオル本体に縫い付ける縫い目である。
【００１５】
かかる構成によれば、１つの膨出体であっても、この１つの膨出体に設けられた縫い目が脆弱曲がり部となるので、膨出体がより柔軟に変形して背中凹み部にフィットし、しっかりと背中凹み部を洗うことができる。さらに、１つの膨出体であっても、物干し棒に縫い目の脆弱曲がり部が位置するように浴用タオルを掛けることで、浴用タオルをバランスよく物干し棒に掛けることができ、乾かし易くすることができる。
できる。
【００１６】
好ましくは、前記膨出体は、柔軟性及び弾力性を有するスポンジと、前記スポンジを覆うネットとで構成されており、前記タオル本体から急角度で立ち上がる立ち上がり部を備えている。
【００１７】
かかる構成によれば、膨出体は、柔軟性及び弾力性を有するスポンジと、スポンジを覆うネットとで構成されている。膨出体は、タオル本体から急角度で立ち上がる立ち上がり部を備えているので、背中を洗う際、立ち上がり部が背中凹み部に引っ掛かり易く、より強く膨出部を背中凹み部に押し付けることができる。さらに、スポンジ付きのため、泡立てが良く、固形石鹸や液状のボディソープが少量で済む。さらに、スポンジをネットで覆うことで、液状の石鹸をより多く吸収して泡立ちを向上させることができるともに、ネットによりスポンジの耐久性を向上させることができる。
【００１８】
好ましくは、前記膨出体は、前記ネットの上から前記スポンジの外周の端部が前記ネットの外周の端部と重ねて前記タオル本体に縫い付けられている。
【００１９】
かかる構成によれば、膨出体は、ネットの上からスポンジの外周の端部がタオル本体に縫い付けられているので、体を洗う際にスポンジがネット内で動いてネットと擦れてボロボロになることを防止し、スポンジの耐久性を向上させることができる。
【発明の効果】
【００２２】
背中を洗う際に浴用タオルを十分に強く背中凹み部に押し付けることができるとともに、やさしく洗うこともできる浴用タオルを提供することができる。
【図面の簡単な説明】
【００２３】
【図１】実施例の浴用タオルの正面図である。
【図２】（Ａ）は実施例の浴用タオルの要部拡大図である。（Ｂ）は実施例の浴用タオルの要部断面図である。
【図３】実施例の浴用タオルの要部背面図である。
【図４】（Ａ）は実施例の浴用タオルの作用図である。（Ｂ）は実施例の浴用タオルの背中凹み部に対する作用図である。（Ｃ）は比較例の浴用タオルの背中凹み部に対する作用図である。
【図５】（Ａ）は実施例の膨出体の作用図である。（Ｂ）は実施例の膨出体要部の作用図である。（Ｃ）は比較例の膨出体の作用図である。（Ｄ）は比較例の膨出体要部の作用図である。
【図６】（Ａ）は実施例の浴用タオルを物干し棒に掛ける説明図である。（Ｂ）は実施例の浴用タオルを物干し棒に掛けた作用図である。（Ｃ）は比較例の浴用タオルを物干し棒にかけた作用図である。
【図７】（Ａ）は別態様の膨出体の説明図である。（Ｂ）は別態様の膨出体の要部拡大図である。
【図８】別態様の浴用タオルの説明図である。
【図９】（Ａ）は更なる別態様の浴用タオルの説明図である。（Ｂ）は更なる別態様の浴用タオルの作用図である。
【発明を実施するための形態】
【００２４】
本発明を実施するための形態を添付図に基づいて以下に説明する。なお、図面は浴用タオルを概念的（模式的）に示すものとする。
【実施例１】
【００２５】
本発明の実施例を図面に基づいて説明する。先ず、実施例の浴用タオル１０について説明する。
図１〜図３に示されるように、浴用タオル１０は、帯状のタオル本体２０と、このタオル本体２０の一方の面２１にタオル本体２０の厚みよりも厚く膨出して設けられ柔軟性及び弾力性を有する２つの膨出体３０と、タオル本体１０の長手方向の中心部で膨出体２０を離間するように２つに分ける位置に設けられタオル本体２０の自重で屈曲可能な脆弱曲がり部４１とを備えている。膨出体３０は、タオル本体２０の長手方向の中心部ＣＬを境にして２つ設けられている。脆弱曲がり部４１は、タオル本体２０の２つの膨出体３０の間であって、タオル本体２０の長手方向の中心部ＣＬに設けられている。２つの膨出体３０の間隔は、１ｃｍ程度が好ましい。なお、２つの膨出体３０の間隔は、０．５ｃｍ、２ｃｍ、３ｃｍなどであってもよい。また、タオル本体２０の一方の面２１とは、タオル本体２０の表裏のいずれか一方（片方）の外側（表面）をいう。
【００２６】
次にタオル本体２０について説明する。
タオル本体２０は、ポリエチレンなどの合成繊維で目が粗く形成されている。また、タオル本体２０は、長手方向に所定の長さＬ１に、短手方向に所定の幅Ｗ１に形成され、その厚みは一般的なタオルの厚み相当であるが、人５０（図４参照）が手で掴んで柔軟に変形する程度であれば厚みは問わない。なお、いわゆるＪＩＳ規格では、浴用タオル１０は、幅Ｗ１が３３．５〜３５．５ｃｍ×長さＬ１が８３ｃｍ以上のものを示すが、本発明の実施例ではこれに限定されず、タオル本体２０の幅Ｗ１は１５ｃｍ、２０ｃｍ、２５ｃｍ、３０ｃｍ、４０ｃｍなどでもよく、タオル本体２０の長さＬ１は７０ｃｍ、８０ｃｍ、１００ｃｍ、１２０ｃｍなどでもよく、幅Ｗ１、長さＬ１は問わない。また、実施例では、幅Ｗ１のタオル本体２０を幅方向に折らずに且つ一方の面２１にのみ膨出体３０を設けたが、これに限定されず、幅の広いタオル本体２０の幅が半分になるように２つ折りにして重ね、幅方向に２つに折った状態のタオル本体２０の一方の面２１（例えば、使用時に人５０の背中５１に対向する面）にのみ膨出体３０を設けてもよい。この場合、タオル本体２０の幅が半分になるように２つ折りにして重ね、その周囲を縫い付けて開かないようにしてもよい。これにより、２枚重ねの厚手のタオル本体２０とすることができる。さらには、タオル本体２０を幅方向に３つ折り等にして、折った状態のタオル本体２０の一方の面２１にのみ膨出体３０を設けてもよい。
【００２７】
なお、実施例では、タオル本体２０をポリエチレン製としたが、これに限定されず、ポリエステルなどの合成樹脂による合成繊維や、綿などの生地で形成されていてもよい。また、タオル本体２０は、目を粗くして石鹸の泡立ちが良くなるようにしても、目を細かくして肌触りを滑らかにしてもよく、目の粗さや編み方は問わない。
【００２８】
次に膨出体３０について説明する。
膨出体３０は、柔軟性及び弾力性を有するスポンジ３１と、このスポンジ３１を覆うネット３２とで構成されており、タオル本体２０から急角度で立ち上がる立ち上がり部３５と、この立ち上がり部３５の上端部に広い面積で形成された上面部３６とを備えている。膨出体３０がスポンジ３１付きのため、泡立てが良く、固形石鹸や液状のボディソープが少量で済む。なお、立ち上がり部３５の急角度とは３０度以上であれば好ましいが、これに限定されず、１５度等でもよく、膨出体３０が背中凹み部５２に接触している感じを得ることができれば角度は問わない。また、膨出体３０は、ネット３２を付けずにスポンジ３１で構成してもよい。
【００２９】
膨出体３０は、正面視で長円形状に形成されており、長手方向の長さはＬ２であり、短手方向の幅はＷ２であり、高さはＨ２である。高さＨ２は所定の高さであり、０．５ｃｍ以上、２ｃｍ以下であれば好ましい。詳細は後述するが、背中５１を洗う際、高さＨ２が０．５ｃｍ以上であれば膨出部３０を背中凹み部５２に十分に押し付けることができ、高さＨ２が２ｃｍ以下であれば膨出部３０が横に倒れたり転がる状態になったりすることなく容易に浴用タオル１０を扱うことができる。なお、高さＨ２は０．５ｃｍ未満や２ｃｍより大きくしても差し支えない。
【００３０】
また、膨出体３０は、ネット３２の上からスポンジ３１の外周の端部がタオル本体２０に縫い付けられている。スポンジ３１の外周の端部に縫い目３３があり、この縫い目３３からさらに外方のネット３２の端までの間には、ネット３２の余り代３４が形成されている。立ち上がり部３５は、タオル本体２０の近傍でこのタオル本体２０と平行に形成された余り代３４の内端側の縫い目３３から立ち上がるように形成されている。
【００３１】
このように、膨出体３０は、タオル本体２０の中（生地の内側）に入れないで、長い帯状のタオル本体２０の一方の面２１の長手方向中心部に、ネット３２に覆われたスポンジ３２が縫い付けられた状態で設けられている。また、タオル本体２０の他方の面２２には、膨出体３０が設けられていない。このため、タオル本体２０の他方の面２２は、膨出体３０のない通常のタオルと同様に扱うことができる。
【００３２】
次に以上に述べた実施例の浴用タオル１０の作用と比較例の浴用タオル１００の作用を説明する。
図４（Ａ）は実施例の浴用タオル１０の作用図であり、人５０が浴用タオル１０を使用して背中５１を洗っている状態が示されている。人５０の背中５１は、背骨に沿った背中凹み部５２が、その両側の僧帽筋、広背筋及び脊柱起立筋等の背筋周辺の盛り上がった盛り上が側部５３よりも凹んでいる。
【００３３】
人５０は、浴用タオル１０の一端部を右手５４で掴み、他端部を左手５５で掴み、背中５１側にまわした浴用タオル１０を上下左右等に移動させて背中を擦るようにして洗う。このとき、膨出体３０が、背中５１に接触する向きにして浴用タオル１０を使用する。
【００３４】
図４（Ｂ）は実施例の浴用タオル１０の背中凹み部５２に対する作用図であり、膨出体３０が背中凹み部５２に接触している。タオル本体２０は背中５１の左右の盛り上がり側部５３に接触しており、タオル本体２０の両端部が右手５４及び左手５５に引っ張られているため、タオル本体２０にテンション（張力）がかかり、膨出体３０が背中凹み部５２に押し付けられる。
【００３５】
仮に、従来技術のようにスポンジの内側（背中５１側）にもタオル本体があれば、スポンジが背中から離れる方向にも力が作用し、スポンジが十分に背中凹み部５２に押し付けられない。この点、本発明の実施例では、タオル本体２０の一方の面２１に膨出するように膨出体３０を設け、膨出体３０の内側（背中５１側）には何もなく、膨出体３０の外側からのみ背中５１に押し付ける力が作用するので、浴用タオル１０の膨出体３０を十分に強く背中凹み部５２に押し付けることができる。
【００３６】
図４（Ｃ）は比較例の浴用タオル１００の背中凹み部５２に対する作用図であり、浴用タオル１００は帯状であり、表裏側に何も設けられていない。背中５１を洗う際、浴用タオル１００は背中５１の左右の盛り上がり側部５３に接触しており、浴用タオル１００の両端部が右手５４及び左手５５に引っ張られているため、浴用タオル１００にテンション（張力）がかかり、浴用タオル１００が背中凹み部５２の周辺で浮き上がる。このため、比較例の浴用タオル１００では、背中凹み部５２が洗い難い。
【００３７】
次に実施例の膨出体３０の作用と比較例の膨出体１３０の作用を説明する。
図５（Ａ）は実施例の膨出体３０の作用図であり、タオル本体２０を移動させると、タオル本体２０と一緒に膨出体３０も矢印（１）のように移動する。
【００３８】
図５（Ｂ）は実施例の膨出体３０要部の作用図であり、膨出体３０は、ネット３２の上からスポンジ３１の外周の端部がタオル本体２０に縫い付けられている（符号３３は縫い目）ので、スポンジ３１がネット３２内で移動することがない。このため、スポンジ３２がネット３２と擦れてボロボロに崩れることを防止できる。
【００３９】
図５（Ｃ）は比較例の膨出体１３０の作用図であり、比較例の浴用タオル１１０において、膨出体１３０は、スポンジ１３１と、このスポンジ１３１を覆うネット１３２とを備え、ネット１３２がタオル本体１２０に縫い付けられている（符号１３３は縫い目）。比較例のタオル本体１２０を移動させると、タオル本体１２０と一緒に膨出体１３０も矢印（２）のように移動する。
【００４０】
図５（Ｄ）は比較例の膨出体１３０の要部の作用図であり、膨出体１３０は、ネット１３２に覆われているだけであり、ネット１３２の外周の端部がタオル本体１２０に縫い付けられているので、スポンジ１３１がネット１３２内で矢印（３）のように移動する。このため、スポンジ１３１がネット１３２と擦れてボロボロに崩れ易くなる。
【００４１】
次に実施例の浴用タオル１０を物干し棒６０に掛けた作用と、比較例の浴用タオル２００を物干し棒６０に掛けた作用を説明する。
図６（Ａ）は実施例の浴用タオル１０を物干し棒６０に掛ける説明図であり、浴用タオル１０の脆弱曲がり部４１が物干し棒６０に一致するようにして、浴用タオル１０を物干し棒６０に掛ける。
【００４２】
図６（Ｂ）は実施例の浴用タオル１０を物干し棒６０に掛けた作用図であり、浴用タオル１０は脆弱曲がり部４１で曲げて物干し棒６０に掛けられており、２つの膨出部３０をバランスよく分けて浴用タオル１０を物干し棒６０から落ち難くして乾かし易くすることができる。さらに、脆弱曲がり部４１の両側に独立した膨出部３０がそれぞれ設けられているので、物干し棒６０に容易に掛けることができ、より乾かし易くすることができる。
【００４３】
図６（Ｃ）は比較例の浴用タオル２００を物干し棒６０にかけた作用図であり、タオル本体２０の長手方向略中央に膨出部２３０が設けられている。このため、比較例の浴用タオル２００は、膨出部２３０が物干し棒６０の左右のいずれかに偏る位置に移動し、浴用タオル２００が矢印（４）のように移動して物干し棒６０から落ち易くなる。
【００４４】
次に別態様の膨出体３０について説明する。なお、図１〜図３の膨出体３０と同様の構成については符号を振って説明を省略する。
図７（Ａ）は別態様の膨出体３０の説明図であり、膨出体３０は、正面視で矩形状に形成されており、タオル本体２０の一方の面に脆弱曲がり部４１を境にして２つ設けられている。
【００４５】
図７（Ｂ）は別態様の膨出体３０の要部拡大図であり、長手方向の長さはＬ２であり、短手方向の幅はＷ２であり、高さはＨ２（図２（Ｂ）参照）である。膨出体３０は、ネット３２の上からスポンジ３１の外周の端部がタオル本体２０に縫い付けられている（符号３３は縫い目）。膨出体３０は、矩形状であるので、スポンジ３１やネット３２の加工が容易にできる。
【００４６】
次に別態様の浴用タオル１０について説明する。なお、図１〜図３の浴用タオル１０と同様の構成については符号を振って説明を省略する。
図８に示されるように、浴用タオル１０は、タオル本体２０と、膨出体３０とを備えている。膨出体３０は、タオル本体２０と分離可能に設けられており、その裏側に面ファスナー２３が設けられている。タオル本体２０にも面ファスナー３７が設けられている。このため、膨出体３０はタオル本体２０に矢印（５）のように面ファスナー２３、３７を介して着脱可能に設けられている。
【００４７】
次に更なる別態様の浴用タオル１０について説明する。なお、図１〜図３の浴用タオル１０と同様の構成については符号を振って説明を省略する。
図９（Ａ）は更なる別態様の浴用タオルの説明図であり、浴用タオル１０は、タオル本体２０と、膨出体３０とを備えている。膨出体３０は、タオル本体２０の長手方向の中心部ＣＬ（図１参照）に１つ設けられている。脆弱曲がり部４１は、タオル本体２０の長手方向の中心部ＣＬの位置で膨出体３０をタオル本体２０に縫い付ける縫い目４２である。
【００４８】
図９（Ｂ）は更なる別態様の浴用タオル１０の作用図であり、１つの膨出部３０の脆弱曲がり部４１（縫い目４２）が物干し棒６０に一致するようにして、浴用タオル１０を物干し棒６０に掛ける。浴用タオル１０は脆弱曲がり部４１で曲げて物干し棒６０に掛けられており、１つの膨出部３０の右部分３０Ｒと、１つの膨出部３０の左部分３０Ｌとがバランスよく分かれて物干し棒６０に掛けられることで、１つの膨出部３０が設けられた浴用タオル１０であっても物干し方６０から落ち難くして乾かし易くすることができる。
【００４９】
次に本発明の実施例に係る浴用タオル１０の効果を説明する。
本発明の実施例では、膨出体３０を背中５１に接触するように向けて、背中５１を洗う際に浴用タオル１０の一端部を一方の手５４で掴み、他端部を他方の手５５で掴んで両側から引っ張ると、膨出体３０の外側のタオル本体２０にのみテンション（張力）がかかることで膨出体３０を背中凹み部５２に十分に強く押し付けることができる。さらに、タオル本体２０を裏返して、膨出体３０を外方に向けることで、膨出体３０を背中５１に接触させずにやさしく洗うこともできる。
【００５０】
さらに、タオル本体２０の長手方向の中心部ＣＬで膨出体２０を２つに分ける位置に設けられタオル本体２０の自重で屈曲可能な脆弱曲がり部４１を備えているので、２つに分けられた膨出体３０がより柔軟に背中凹み部５２にフィットして、しっかりと背中凹み部５２を洗うことができる。さらに、使用後に浴用タオル１０を物干し棒６０に掛けて乾かす際、浴用タオル１０を脆弱曲がり部４１で曲げて物干し棒６０に掛けることで、膨出部３０をバランスよく分けて浴用タオル１０を物干し棒６０から落ち難くして乾かし易くすることができる。
【００５１】
さらに、タオル本体２０の長手方向の中心部ＣＬを境にして２つ設けられているので、２つの膨出部３０を背中凹み部５２に押し付け、効率よく背中凹み部５２を洗うことができる。さらに、脆弱曲がり部４１の両側に独立した膨出部３０がそれぞれ設けられているので、物干し棒６０に容易に掛けることができ、乾かし易くすることができる。
【００５２】
さらに、１つの膨出体３０であっても、この１つの膨出体３０に設けられた縫い目４２が脆弱曲がり部４１となるので、膨出体３０がより柔軟に変形して背中凹み部５２にフィットし、しっかりと背中凹み部５２を洗うことができる。さらに、１つの膨出体３０であっても、物干し棒６０に縫い目４２の脆弱曲がり部４１が位置するように浴用タオル１０を掛けることで、浴用タオル１０をバランスよく物干し棒６０に掛けることができ、乾かし易くすることができる。
【００５３】
さらに、膨出体３０は、柔軟性及び弾力性を有するスポンジ３１と、スポンジ３１を覆うネット３２とで構成されている。膨出体３０は、タオル本体２０から急角度で立ち上がる立ち上がり部３５を備えているので、背中５１を洗う際、立ち上がり部３５が背中凹み部５２に引っ掛かり易く、より強く膨出部３０を背中凹み部５２に押し付けることができる。さらに、スポンジ３１付きのため、泡立てが良く、固形石鹸や液状のボディソープが少量で済む。さらに、スポンジ３１をネット３２で覆うことで、液状の石鹸をより多く吸収して泡立ちを向上させることができるともに、ネット３２によりスポンジ３１の耐久性を向上させることができる。
【００５４】
さらに、膨出体３０は、ネット３２の上からスポンジ３１の外周の端部がタオル本体２０に縫い付けられているので、体５０を洗う際にスポンジ３１がネット３２内で動いてネット３２と擦れてボロボロになることを防止し、スポンジ３１の耐久性を向上させることができる。
【００５５】
さらに、膨出体３０は、タオル本体２０に面ファスナー２３、３７を介して着脱可能に設けられているので、やさしく洗いたい場合は膨出部３０を外すことで浴用タオル１０の両面でやさしく洗うことができ、膨出部３０を取り付けることで強く押し付けて洗うこともでき、浴用タオル１０を体５０に押し付ける強弱を明確に分けて浴用タオル１０の使い勝手を向上させることができる。
【００５６】
尚、実施例では、膨出体３０は、ネット３２の上からスポンジ３１の外周の端部がタオル本体２０に縫い付けられている（符号３３は縫い目）構成としたが、これに限定されず、スポンジ３１がネット３２内で動かないようにできれば、縫い目３３がスポンジ３１から外れた位置で且つスポンジ３１の際であってもよい。
【００５７】
さらに、スポンジ３１がネット３２内で移動するようなスポンジ３１から少し離れた縫い目３３の位置であってもよい。さらに、浴用タオル１０は、物干し棒６０に掛けるだけでなく、タオルハンガーなどに掛けてもよい。
【００５８】
さらに、実施例では、膨出体３０の数を２つ又は１つとしたが、これに限定されず、膨出体３０を３つ以上設けてもよい。さらに、スポンジ３１は、合成樹脂製、へちま、その他の多孔質体などであってもよい。すなわち、本発明の作用及び効果を奏する限りにおいて、本発明は、実施例に限定されるものではない。
【産業上の利用可能性】
【００５９】
本発明は、入浴などで体を洗う際に使用する浴用タオルに好適である。
【符号の説明】
【００６０】
１０…  浴用タオル
２０…  タオル本体
２１…  一方の面
２２…  他方の面
２３…  面ファスナー
３０…  膨出体
３０Ｌ…膨出体の左部分
３０Ｒ…膨出体の右部分
３１…  スポンジ
３２…  ネット
３３…  縫い目
３４…  余り代
３５…  立ち上がり部
３７…  面ファスナー
４１…  脆弱曲がり部（離間部、縫い目）
４２…  縫い目
５０…  人
５１…  背中
５２…  背中凹み部
５３…  盛り上がり部
６０…  物干し棒、タオルハンガー
【要約】
【課題】背中を洗う際に浴用タオルを十分に強く背中凹み部に押し付けることができるとともに、やさしく洗うこともできる浴用タオルを提供すること。
【解決手段】浴用タオル１０は、帯状のタオル本体２０と、タオル本体２０の一方の面２１にタオル本体２０の厚みよりも厚く膨出して設けられ柔軟性及び弾力性を有する膨出体３０と、タオル本体２０の長手方向の中心部ＣＬで膨出体３０を２つに分ける位置に設けられタオル本体２０の自重で屈曲可能な脆弱曲がり部４１とを備えている。
【選択図】図１【図１】
0006968474.tif 000002
【図２】
0006968474.tif 000003
【図３】
0006968474.tif 000004
【図４】
0006968474.tif 000005
【図５】
0006968474.tif 000006
【図６】
0006968474.tif 000007
【図７】
0006968474.tif 000008
【図８】
0006968474.tif 000009
【図９】
0006968474.tif 000010